(57)【要約】【課題】  扉付き個室が使用中である施錠時に扉の外側から表示部材が突出する建具用錠であって、使用中でも扉の外側の人からは表示部材の操作により解錠操作を行うことができず、操作部と表示部材が摩耗による経年劣化を生じさせない建具用錠を提供することを目的とする。【解決手段】操作部１１を操作して受部１３との係脱により施錠又は解錠とし、扉Ｄの内表面に固設される錠装置１と、錠装置１の施錠操作に応じて、扉Ｄの外表面側から先端部２１が突出する表示部材２を備え、表示部材２において、操作部１１に近接可能である基端部２２と、基端部２２に固設された第一磁性体２３を有し、操作部１１において、施錠時に前記第一磁性体２３と対向して反発する第二磁性体１１３と、第二磁性体１１３と隔離され解錠時に第一磁性体２３と対向して引き合う第三磁性体１１４を有している建具用錠により解決した。【選択図】図１
2018145731.tif 000002
【特許請求の範囲】
【請求項１】
操作部を操作して受部との係脱により施錠又は解錠とし、扉の内表面に固設される錠装置と、前記錠装置の施錠操作に応じて、前記扉の外表面側から先端部が突出する表示部材を備え、
前記表示部材において、前記操作部に近接可能である基端部と、前記基端部に固設された第一磁性体を有し、
前記操作部において、施錠時に前記第一磁性体と反発する第二磁性体と、前記第二磁性体と隔離され解錠時に前記第一磁性体と引き合う第三磁性体を有していることを特徴とする建具用錠。
【請求項２】
前記表示部材に並設された棒状の係合部材と、
前記操作部において、前記係合部材の基端部と当接可能である傾斜面を備えることを特徴とする請求項１に記載の建具用錠。
【請求項３】
前記表示部材及び前記係合部材を挿通する軸受部と、
前記軸受部に回動可能に設けられ、前記係合部材の先端部を覆う表面部材を備えることを特徴とする請求項２に記載の建具用錠。
【請求項４】
前記係合部材が前記表示部材よりも短いことを特徴とする請求項２又は請求項３に記載の建具用錠。
【請求項５】
前記係合部材の前記基端部が、前記操作部の前記傾斜面と沿う傾斜部を有していることを特徴とする請求項２から請求項４のいずれかに記載の建具用錠。
【請求項６】
前記扉の内表面に固設され、前記操作部を摺動させる錠基部と、
前記錠基部に弾性部材を介して設けられ、前記操作部の係合溝と緩嵌する規制部を備えることを特徴とする請求項１から請求項５に記載の建具用錠。
【発明の詳細な説明】
【技術分野】
【０００１】
本発明は、トイレなどで使用される個室の扉に使用され、その個室が使用中であることを、操作部を操作して施錠することにより扉の外側から視認可能である表示部材によって示す建具用錠に関するものである。
【背景技術】
【０００２】
従来、トイレなどで使用される個室の扉に取り付けられ、その個室の内側である扉の内表面にスライド可能に設けられた操作部を操作することにより、扉の外表面側から視認可能な表示部材を突出させて又は扉の外表面側に退入させて、その個室が使用中か否かを個室の外側にいる人に知らせる錠が知られている。
【０００３】
そのような錠として、例えば、特許文献１において、操作部を備えた錠本体と、その錠本体の施錠又は解錠操作に応じて、その施錠状態又は解錠状態を切り替えて表示する表示体を備え、その操作部側まで延びたその表示体の従動軸の先端側を、その操作部に設けられた傾斜面であるカム面に摺接係合させて従動させることにより表示体を扉の外表面側に出没させることができる錠装置に係る発明が開示されている。
【先行技術文献】
【特許文献】
【０００４】
【特許文献１】特開２００９−１７４１３６号公報
【発明の概要】
【発明が解決しようとする課題】
【０００５】
しかしながら、特許文献１の錠装置では、操作部のカム面と、表示部の従動軸の先端側が摺接係合するために使用の度に当接することになり、長年の使用によって操作部のカム面と表示部の従動軸の先端側が摩耗してしまい、使用中の状態においても表示体が十分に露出しなくなるという課題があった。
【０００６】
また、特許文献１の錠装置では、上記のように長年の使用によって操作部のカム面と表示部の従動軸の先端側が摩耗することにより、表示体が扉の外表面側から突出している使用中の状態において、扉の外側から表示体を押し込むことにより、表示体の従動軸の先端側が操作部のカム面と摺動して操作部がスライドしラッチ体がラッチ受けから離れて解錠されてしまうというセキュリティー上の懸念があった。
【０００７】
そこで、本発明は、上記問題に鑑み、トイレなどで使用される個室の扉に使用され、その個室が使用中であることを、操作部を操作して施錠することにより扉の外側から視認可能である表示部材が突出して、扉の外側にいる人に知らせる建具用錠であって、使用中の状態でも扉の外側の人からは表示部材の操作により解錠操作を行うことができず、操作部と表示部材又は表示部材が取り付けられた部材が摩耗による経年劣化を生じさせない建具用錠を提供することを目的とする。
【課題を解決するための手段】
【０００８】
〔１〕すなわち、本発明は、操作部（１１）を操作して受部（１３）との係脱により施錠又は解錠とし、扉（Ｄ）の内表面に固設される錠装置（１）と、前記錠装置（１）の施錠操作に応じて、前記扉（Ｄ）の外表面側から先端部（２１）が突出する表示部材（２）を備え、前記表示部材（２）において、前記操作部（１１）に近接可能である基端部（２２）と、前記基端部（２２）に固設された第一磁性体（２３）を有し、前記操作部（１１）において、施錠時に前記第一磁性体（２３）と対向して反発する第二磁性体（１１３）と、前記第二磁性体（１１３）と隔離され解錠時に前記第一磁性体（２３）と対向して引き合う第三磁性体（１１４）を有していることを特徴とする建具用錠である。
【０００９】
〔２〕そして、前記表示部材（２）に並設された棒状の係合部材（３）と、
前記操作部（１１）において、前記係合部材（３）の基端部（３２）と当接可能である傾斜面（１１２ａ）を備えることを特徴とする前記〔１〕に記載の建具用錠である。
【００１０】
〔３〕そして、前記表示部材（２）及び前記係合部材（３）を挿通する軸受部（４）と、
前記軸受部（４）に回動可能に設けられ、前記係合部材（３）の先端部（３１）を覆う表面部材（６）を備えることを特徴とする前記〔２〕に記載の建具用錠である。
【００１１】
〔４〕そして、前記係合部材（３）が前記表示部材（２）よりも短いことを特徴とする前記〔２〕又は前記〔３〕に記載の建具用錠である。
【００１２】
〔５〕そして、前記係合部材（３）の前記基端部（３１）が、前記操作部１１）の前記傾斜面（１１２ａ）と沿う傾斜部（３３）を有していることを特徴とする前記〔２〕から前記〔４〕のいずれかに記載の建具用錠である。
【００１３】
〔６〕そして、前記扉（Ｄ）の内表面に固設され、前記操作部（１１）を摺動させる錠基部（１２）と、
前記錠基部（１２）に弾性部材（１５）を介して設けられ、前記操作部（１１）の係合溝（１１１ａ）と緩嵌する規制部（１４）を備えることを特徴とする前記〔１〕から前記〔５〕に記載の建具用錠である。
【発明の効果】
【００１４】
本願発明によれば、トイレで使用される個室の扉などに使用され、その個室が使用中であることを、操作部を操作して施錠することにより扉の外側から視認可能である表示部材が突出して、扉の外側にいる人に知らせる建具用錠であって、使用中の状態でも扉の外側の人からは表示部材の操作により解錠操作を行うことができず、操作部と表示部材又は表示部材が取り付けられた部材が摩耗による経年劣化を生じさせないようにすることができる。
【図面の簡単な説明】
【００１５】
【図１】本発明の一実施形態の建具用錠における扉の外側から視た分解斜視図である。
【図２】本発明の一実施形態の建具用錠における扉の内側から視た分解斜視図である。
【図３】本発明の一実施形態の建具用錠における扉の外側から視た解錠状態を示す斜視図である。
【図４】本発明の一実施形態の建具用錠における扉の内側から視た施錠状態を示す斜視図である。
【図５】本発明の一実施形態の建具用錠における解錠状態を示す断面図である。
【図６】本発明の一実施形態の建具用錠における施錠状態を示す断面図である。
【図７】本発明の一実施形態の建具用錠における扉の外側から視た、係合部材を操作して解錠しようとする状態を示す斜視図である。
【発明を実施するための形態】
【００１６】
以下、本発明に係る建具用錠に関する実施形態について詳しく説明する。なお、以下に説明する実施形態は、本発明を実施するに好ましい具体例であるから、技術的に種々の限定がなされているが、本発明は、以下の説明において特に発明を限定する旨明記されていない限り、これらの形態に限定されるものではない。
【００１７】
図１〜図７において、本発明に係る建具用錠の一実施形態についての扉Ｄの外側及び内側から視た分解斜視図、扉Ｄの外側から視た解錠状態及び施錠状態を示す斜視図、解錠状態を示す断面図、施錠状態を示す断面図、押込みピンＰにより係合部材３を操作して解錠しようとする状態を示す斜視図を示している。本実施形態では、建具用錠が、錠装置１、表示部材２、係合部材３、軸受部４、保持部５、表面部材６などから構成されている。
【００１８】
錠装置１は、使用者が施錠及び解錠操作のために把持して操作する操作部１１と、個室内部側の表面である扉Ｄの内表面に取り付けられ操作部１１が摺動又は回動可能に設けられた錠基部１２を備えている。本実施形態において、操作部１１の外形は略直方体形状の形状を有し、錠基部１２の外形も略直方体形状の形状を有し、錠基部１２に対して操作部１１が係合しており摺動することができる構成を有している。操作部１１が摺動して、操作部１１が扉Ｄと略同一平面上に位置する壁Ｗに取付けられ略円柱状の受部１３と係合することにより、壁Ｗに対して扉Ｄが開かなくなるために施錠状態となる。一方、操作部１１が摺動して、操作部１１と受部１３の係合が解除されると、壁Ｗに対して扉Ｄが開くようになるために解錠状態となる。
【００１９】
操作部１１は、使用者が直接手に触れる操作枠部１１１と、操作枠部１１１に内設された操作基部１１２を備えている。操作枠部１１１は、略直方体形状で、長手方向に垂直な断面が略コの字状を有している。操作部１１を錠基部１２に対して摺動して、操作枠部１１１の一端が受部１３と係合することにより、錠装置１が施錠状態となる。
【００２０】
操作基部１１２は、操作枠部１１１に内設され、操作枠部１１１と一体的に錠基部１２に対して摺動される部材であり、細長い形状を有している。操作基部１１２における錠基部１２側には、錠基部１２側から操作枠部１１１側に向かって緩やかで連続的に傾斜する傾斜面１１２ａを有している。傾斜面１１２ａの傾斜角度は、押込みピンＰによる係合部材３の押し易さのために操作基部１１２の長手方向に対して１０〜３０度であることが好ましい。操作基部１１２の傾斜面１１２ａは、係止部材３の基端部３２の端面に設けられた傾斜部３３と当接可能である。図７に示すように、係止部材３が押込みピンＰで錠装置１側に押し込まれることにより、図６に示す施錠状態において、操作基部１１２の傾斜面１１２ａは、係合部材３の傾斜部３３により押されるため、操作基部１１２の傾斜面１１２ａの当接箇所が高い場所から低い場所へ、すなわち錠基部１２側から操作枠部１１１側に向かって移動することになるので、操作部１１が錠基部１２に対して相対的に移動して、操作部１１と受部１３との係合が解除され、錠装置１が図５に示す解錠状態となる。そして、操作枠部１１１における操作基部１１２側には、操作基部１１１の係合突部１１２ｂと係合する窪みである係合溝１１１ａが設けられており、係合溝１１１ａが操作基部１１１から盛り上がって設けられた係合突部１１２ｂと係合することにより、操作枠部１１１と操作基部１１２が一体的に摺動することができる。
【００２１】
操作基部１１２の操作枠部１１１側には、第二磁性体１１３と、第三磁性体１１４が着設されている。また、第二磁性体１１３は、第三磁性体１１４と比べると、受部１３に対して遠くなるように離れて位置している。第二磁性体１１３及び第三磁性体１１４は、常磁性を示す部材であり、具体的にはフェライト磁石、アルニコ磁石、ネオジム磁石などの永久磁石であることが好ましい。第二磁性体１１３及び第三磁性体１１４は、表示部材２の基端部２２に固設された第一磁性体２３と操作基部１１２を挟んで対向して反発又は引き合うように着設されている。具体的には、第二磁性体１１３は、第一磁性体２３の操作基部１１２側における面の極と反発する極を有する面が操作基部１１２に当たるように着設されている。例えば、第一磁性体２３の操作基部１１２側における面の極がＮ極のとき、第二磁性体１１３の操作基部１１２側における面の極がＮ極となるように、第二磁性体１１３が操作基部１１２に着設されている。一方、第三磁性体１１４は、第一磁性体２３の操作基部１１２側における面の極と引き合う極を有する面が操作基部１１２に当たるように着設されている。例えば、第一磁性体２３の操作基部１１２側における面の極がＮ極のとき、第三磁性体１１４の操作基部１１２側における面の極がＳ極となるように、第三磁性体１１４が操作基部１１２に着設されている。また、第二磁性体１１３及び第三磁性体１１４が操作基部１１２に着設されると、第二磁性体１１３及び第三磁性体１１４と係合突部１１２ｂがおおよそ同一の平面状となる。このように、第二磁性体１１３及び第三磁性体１１４を操作基部１１２に着設することにより、操作部１１を受部１３に係合させて施錠状態としているときには、第二磁性体１１３と第一磁性体２３は磁力により反発することになり、表示部材２の先端部２１を扉Ｄの外表面側から突出することができ、一方、操作部１１と受部１３の係合を解除させて解錠状態としているときには、第三磁性体１１４と第一磁性体２３は磁力により引き合うことになり、扉Ｄの外表面側より突出している表示部材２の先端部２１を扉Ｄの外表面側に退入させることができる。こうして、トイレなどの個室の扉Ｄが開かないように施錠されているときには、表示部材２の先端部２１が突出して扉Ｄの外側に居る人に使用中であることを知らしめ、扉Ｄが開かれるように解錠されているときには、表示部材２の先端部２１が退入しており扉Ｄの外側に居る人に使用中でないことを知らしめることができる。そして、表示部材２は、操作部１１とは直接接触することがないので、使用中の状態でも扉Ｄの外側に居る人からは表示部材２を操作して解錠操作を行うことができず、さらに、操作部１１と表示部材２又は表示部材が取り付けられた部材との摩耗による経年劣化が生じず、長きに亘って使い始めと同様に表示部材２を突出させることができる。
【００２２】
錠基部１２は、錠装置１の基幹を成し、トイレなどの個室の扉Ｄの内側に螺子などの固定手段により固設され、操作部１１が摺動又は回動可能に設けられる部材である。本実施形態において、操作部１１が錠基部１２に対して摺動されるために、錠基部１２には、操作基部１１２を格納するよう長手方向に沿って格納溝１２１が設けられている。また、錠基部１２の長手方向に沿った両側面には、操作部１１が錠基部１２の長手方向に沿って摺動するように、操作枠部１１１に突設された係合片１１１ｃと係合して、操作枠部１１１を案内する案内溝１２２が直線状に設けられている。
【００２３】
また、錠基部１２の扉Ｄ側には、表示部材２を挿通する貫通した孔である表示部材挿通孔１２３と、係合部材３を挿通する貫通した孔である係合部材挿通孔１２４並んで穿設されている。表示部材挿通孔１２３の内径は、表示部材２の外径よりも大きいために、表示部材２が表示部材挿通孔１２３をおおよそ抵抗なく移動することができる。また、同様に、係合部材挿通孔１２４の内径は、係合部材３の外径よりも大きいために、係合部材３が係合部材挿通孔１２４をおおよそ抵抗なく移動することができる。
【００２４】
受部１３は、上述したように、扉Ｄと略同一平面上に位置する壁Ｗに螺子などの固定手段により取付けられた部材である。本実施形態において、操作部１１が摺動して、係合する略円柱形状の部材である。受部１３の外周側面には、操作枠部１１１の係合片１１１ｃと係合する段差面である受部係合部１３１が設けられている。
【００２５】
規制部１４は、錠基部１２に対する操作部１１の摺動範囲を規制する部材である。規制部１４は、金属製の弾性バネである弾性部材１５を介して錠基部１２に埋設されており、弾性部材１５の付勢力により、錠基部１２の一側面に対して突出及び退入可能となっている。通常、規制部１４は、弾性部材１５の付勢力により、錠基部１２の一側面より突出して、操作枠部１１１に設けられた長孔状の窪みである摺動溝１１１ｃと遊嵌しており、その摺動溝１１１ｃの長手方向の範囲でしか動くことができないために、錠基部１２に対する操作部１１の摺動範囲を規制しており、また、操作部１１が錠基部１２に対して摺動したときに脱落することを防いでいる。本実施形態において、規制部１４は円柱形状であるが、他の実施形態において、多角柱形状とすることもできる。一方、規制部１４が弾性部材１５の付勢力に抗って錠基部１２の一側面側に押し込まれた状態として、錠基部１２に対して操作部１１をスライド移動させることにより、組み立てられ、また、錠基部１２から操作部１１が分解されたりして必要に応じて部品の交換などが行われる。
【００２６】
このように、錠装置１は、錠基部１２に対して摺動可能である操作部１１を操作して、受部１３との係合及びその解除が行われることにより、施錠状態及び解錠状態とするものである。
【００２７】
表示部材２は、錠装置１の施錠操作に応じて、扉Ｄの外表面側から先端部が突出する部材である。本実施形態において、表示部材２は細長い略円柱形状を有しており、一端側である先端部２１が扉Ｄの外表面側に設けられた表面部材６から第一磁性体２３と第二磁性体１１３との反発により突出することができるようになっている。また、その先端部２１の外周側面は、扉Ｄの外側にいる人に対して注意を喚起するために赤色、橙色、黄色など暖色で塗装されていることが好ましい。表示部材２の他端側である基端部２２は、操作部１１の操作基部１１１と近接可能である部分であり、表示部材２が必要以上に突出しないように錠基部１２と係止可能な段差が設けられている。その基端部２２の端部に第一磁性体２３が埋められて固設されている。
【００２８】
上述したように、第一磁性体２３における操作部１１の操作基部１１１側の面が第二磁性体１１３と対向する面と同じ極となるように、第一磁性体２３が基端部２２に固設されており、第一磁性体２３と第二磁性体１１３が磁力により反発する。一方、第一磁性体２３における操作部１１の操作基部１１１側の面は、第三磁性体１１４と対向する面と異なる極となるように設けられており、第一磁性体２３と第三磁性体１１４が磁力により引き合う。第一磁性体２３は、第二磁性体１１３及び第三磁性体１１４と同様に、常磁性を示す部材であり、具体的にはフェライト磁石、アルニコ磁石、ネオジム磁石などの永久磁石であることが好ましい。表示部材２は、錠基部１２の表示部材挿通孔１２３及び軸受部４の表示部材用孔４１に遊嵌されており、おおよそ抵抗なく移動することができる。
【００２９】
係合部材３は、表示部材２に並設された棒状の部材である。係合部材３は、錠基部１２の係合部材挿通孔１２４及び軸受部４の係合部材用孔４２に遊嵌されており、おおよそ抵抗なく移動することができる。係合部材３は、軸受部４の係止部材用孔４２に遊嵌されており、表示部材２の長手方向の長さよりも短いために、係合部材３における扉Ｄの外表面側に位置する先端部３１が、扉Ｄの外表面からは突出しない。また、係合部材３における操作部１１側に位置する基端部３２は、操作基部１１２の傾斜面１１２ａに当接可能であり、さらにその先端の形状は操作基部１１２の傾斜面１１２ａに沿う傾斜部３３を有しており、係合部材３が押込みピンＰにより操作部１１側に押し込まれると係合部材３の傾斜部３３が、操作基部１１２の傾斜面１１２ａと面接触して、円滑に操作基部１１２の傾斜面１１２ａを押すことができる。通常、係合部材３の先端部３１は、表示部材６に覆われており操作することができないが、トイレの個室内などで使用者の体調不良等の理由により自力で錠装置１を解錠することができないという非常時には、扉Ｄの外側から表示部材６を回動させて、軸受部４の係合部材用孔４２を露出し、その係合部材用孔４２に押し込みピンＰを挿入して、錠装置１を解錠することができる。具体的には、上述したように、図６に示す施錠状態において、係合部材３の傾斜部３３が、操作基部１１２の傾斜面１１２ａを押すため、係合部材３の傾斜部３３と操作基部１１２の傾斜面１１２ａの当接箇所が錠基部１２側から操作枠部１１１側に向かって移動することになるので、操作部１１が錠基部１２に対して相対的に移動して、操作部１１と受部１３との係合が解除され、錠装置１が図５に示す解錠状態となる。
【００３０】
そして、係合部材３の外周部に係合部材３の長手方向に沿って張り出した張出部を設けるとともに、その張出部と緩嵌する溝を軸受部４の係合部材用孔４２に設けることにより、係合部材３が係合部材用孔４２において回動しないようにすることができるので、常に係合部材３の傾斜部３３と操作基部１１２の傾斜面１１２ａが面接触して、係合部材３の傾斜部３３が円滑に操作基部１１２の傾斜面１１２ａを押すことができる。
【００３１】
軸受部４は、扉Ｄの厚み方向に埋設され、表示部材２及び係合部材３を挿通する部材である。軸受部４には、扉Ｄの厚み方向である長手方向に貫通した孔である表示部材用孔４１及び係合部材用孔４２が穿設されている。また、表示部材用孔４１の扉Ｄの外表面側の端部には、表面部材６の裏側に突設された突設部６１が枢設されており、表面部材６を回動することにより、係止部材用孔４２を露出したり隠したりすることができる。通常、係止部材用孔４２は、表面部材６により隠されているが、非常時には表面部材６を回動して係止部材用孔４２を露出する。軸受部４における表面部材６が枢設されている端部とは反対側の端部は、錠基部１２に固定されており、軸受部４と錠基部１２が一体化されている。
【００３２】
保持部５は、軸受部４における扉Ｄの外表面側の端部に嵌合され、表面部材６を保持する部材である。保持部５は、軸受部４の表示部材用孔４１及び係合部材用孔４２を塞がないように長孔形状のリング状となっている。また、保持部５の外形は、表面部材６の外形とおおよそ同じ形状を成している。
【００３３】
表面部材６は、扉Ｄの外側にいる人に視認される部材である。本実施形態において、表面部材６は、細長い円形状を有している。表面部材６における錠装置１側である裏側には、表示部材用孔４１の扉Ｄの外表面側の端部に枢設される突設部６１が突設されている。そして、表面部材６には、突設部６１も貫通する略円形状の貫通孔６２が穿設されている。この貫通孔６１に、表示部材２の先端部２１が出入りする。表面部材６の表側の面は、表示部材２が退入しているとき、すなわち解錠状態のときには表面部材２の先端部２１の端面と面一となっており、すっきりしたデザインとなっている。また、施錠状態のときには、扉Ｄの外側にいる人が視認できる程度に、表示部材２の先端部２１が、表面部材６の表側の面から突出している。
【符号の説明】
【００３４】
１・・・錠装置
１１・・・操作部
１１１・・・操作枠部
１１１ａ・・・係合溝
１１１ｂ・・・摺動溝
１１１ｃ・・・係合片
１１２・・・操作基部
１１２ａ・・・傾斜面
１１２ｂ・・・係合突部
１１３・・・第二磁性体
１１４・・・第三磁性体
１２・・・錠基部
１２１・・・格納溝
１２２・・・案内溝
１２３・・・表示部材挿通孔
１２４・・・係合部材挿通孔
１３・・・受部
１３１・・・受部係合部
１４・・・規制部
１５・・・弾性部材
２・・・表示部材
２１・・・先端部
２２・・・基端部
２３・・・第一磁性体
３・・・係合部材
３１・・・先端部
３２・・・基端部
３３・・・傾斜面
４・・・軸受部
４１・・・表示部材用孔
４２・・・係合部材用孔
５・・・保持部
６・・・表面部材
６１・・・突設部
６２・・・貫通孔
Ｄ・・・扉
Ｗ・・・壁
Ｐ・・・押込みピン
【図１】
2018145731.tif 000003
【図２】
2018145731.tif 000004
【図３】
2018145731.tif 000005
【図４】
2018145731.tif 000006
【図５】
2018145731.tif 000007
【図６】
2018145731.tif 000008
【図７】
2018145731.tif 000009